(57)【特許請求の範囲】
【請求項１】
メモリ及び１つ以上のプロセッサを含むデバイスにおいて、
文字の集合に変換される入力データを受信することと、前記文字の集合は、対象記号系における前記入力データの記号表現を含み、
同形異音異義語の文字が前記入力データの対応する部分を表す確率のそれぞれを判定するために、前記対象記号系における前記同形異音異義語の文字の第１の読み方と第２の読み方とを区別する言語モデルを使用することと、を有し、
前記言語モデルは、異なる読みを識別するための注釈が同形異音異義語の文字のみに付加されたコーパスでトレーニングされることを特徴とする方法。
【請求項２】
前記入力データが変換される前記対象記号系における、１つ以上の変換候補を生成することを更に有することを特徴とする請求項１に記載の方法。
【請求項３】
前記入力データは、ピンインで書かれた入力テキストを含むことを特徴とする請求項１又は２に記載の方法。
【請求項４】
前記入力データは、ローマ字の文字で書かれた入力テキストを含むことを特徴とする請求項１から３のいずれか１項に記載の方法。
【請求項５】
前記入力データは、単音節から成る１つ以上の文字群に分解されることを特徴とする請求項１から４のいずれか１項に記載の方法。
【請求項６】
前記対象記号系は漢字を含むことを特徴とする請求項１から５のいずれか１項に記載の方法。
【請求項７】
前記言語モデルは、前記同形異音異義語の文字の前記第１の読み方と前記同形異音異義語の文字の前記第２の読み方とを区別するために注釈をつけられたコーパスを使用してトレーニングされ、前記同形異音異義語の文字の前記第１の読み方及び前記第２の読み方のうち少なくとも一方に対して、対応する新しい記号又はその符号化表現が前記注釈をつけられたコーパスに追加されていることを特徴とする請求項１から６のいずれか１項に記載の方法。
【請求項８】
コーパスと関連付けられたテキストの部分集合に対する１つ以上の手動入力の注釈を受信することと、前記１つ以上の手動入力の注釈は、各々が同形異音異義語の各文字のインスタンスに対して前記インスタンスと関連付けられた状況に少なくとも部分的に基づいて前記同形異音異義語の各文字の適切な読み方を示し且つ前記同形異音異義語の各文字と関連付けられた各記号と関連付けられ、
前記受信された１つ以上の手動入力の注釈に少なくとも部分的に基づいて、手動入力で注釈をつけられていない前記コーパスと関連付けられた前記テキストの少なくとも一部分に自動的に注釈をつけることと、を更に有することを特徴とする請求項１から７のいずれか１項に記載の方法。
【請求項９】
前記言語モデルは、第１の確率を前記同形異音異義語の文字の前記第１の読み方に関連付け、第２の確率を前記同形異音異義語の文字の前記第２の読み方に関連付けるためにトレーニングされることを特徴とする請求項１から８のいずれか１項に記載の方法。
【請求項１０】
前記言語モデルは、第１の確率を前記同形異音異義語の文字の前記第１の読み方を含む第１の文字列に関連付け、第２の確率を前記同形異音異義語の文字の前記第２の読み方を含む第２の文字列に関連付けるためにトレーニングされ、前記第１及び前記第２の文字列はそれぞれ２つ以上の文字を含むことを特徴とする請求項１から９のいずれか１項に記載の方法。
【請求項１１】
１つ以上のプロセッサと、
命令を格納したメモリと、を備え、前記命令は、前記１つ以上のプロセッサにより実行されたときに、前記プロセッサに、
文字の集合に変換される入力データを受信することと、前記文字の集合は、対象記号系における前記入力データの記号表現を含み、
同形異音異義語の文字が前記入力データの対応する部分を表す確率のそれぞれを判定するために、前記対象記号系における前記同形異音異義語の文字の第１の読み方と第２の読み方とを区別する言語モデルを使用することと、を含む動作を実行させ、前記言語モデルは、異なる読みを識別するための注釈が同形異音異義語の文字のみに付加されたコーパスでトレーニングされることを特徴とする電子デバイス。
【請求項１２】
前記動作は、前記入力データが変換される前記対象記号系における、１つ以上の変換候補を生成することを更に含むことを特徴とする請求項１１記載の電子デバイス。
【請求項１３】
前記入力データは、ピンインで書かれた入力テキストを含むことを特徴とする請求項１１又は１２に記載の電子デバイス。
【請求項１４】
前記入力データは、ローマ字の文字で書かれた入力テキストを含むことを特徴とする請求項１１から１３のいずれか１項に記載の電子デバイス。
【請求項１５】
前記対象記号系は漢字を含むことを特徴とする請求項１１から１４のいずれか１項に記載の電子デバイス。
【請求項１６】
前記言語モデルは、前記同形異音異義語の文字の前記第１の読み方と前記同形異音異義語の文字の前記第２の読み方とを区別するために注釈をつけられたコーパスを使用してトレーニングされ、前記同形異音異義語の文字の前記第１の読み方及び前記第２の読み方のうち少なくとも一方に対して、対応する新しい記号又はその符号化表現が前記注釈をつけられたコーパスに追加されていることを特徴とする請求項１１から１５のいずれか１項に記載の電子デバイス。
【請求項１７】
前記動作は、
コーパスと関連付けられたテキストの部分集合に対する１つ以上の手動入力の注釈を受信することと、前記１つ以上の手動入力の注釈は、各々が同形異音異義語の各文字のインスタンスに対して前記インスタンスと関連付けられた状況に少なくとも部分的に基づいて前記同形異音異義語の各文字の適切な読み方を示し且つ前記同形異音異義語の各文字と関連付けられた各記号と関連付けられ、
前記受信された１つ以上の手動入力の注釈に少なくとも部分的に基づいて、手動入力で注釈をつけられていない前記コーパスと関連付けられた前記テキストの少なくとも一部分に自動的に注釈をつけることと、を更に含むことを特徴とする請求項１１から１６のいずれか１項に記載の電子デバイス。
【請求項１８】
前記言語モデルは、第１の確率を前記同形異音異義語の文字の前記第１の読み方に関連付け、第２の確率を前記同形異音異義語の文字の前記第２の読み方に関連付けるためにトレーニングされることを特徴とする請求項１１から１７のいずれか１項に記載の電子デバイス。
【請求項１９】
前記言語モデルは、第１の確率を前記同形異音異義語の文字の前記第１の読み方を含む第１の文字列に関連付け、第２の確率を前記同形異音異義語の文字の前記第２の読み方を含む第２の文字列に関連付けるためにトレーニングされ、前記第１及び前記第２の文字列はそれぞれ２つ以上の文字を含むことを特徴とする請求項１１から１８のいずれか１項に記載の電子デバイス。
【請求項２０】
命令を格納したコンピュータ読み取り可能な記録媒体であって、前記命令は、電子デバイスの１つ以上のプロセッサにより実行されたときに、前記電子デバイスに
文字の集合に変換される入力データを受信させ、前記文字の集合は、対象記号系における前記入力データの記号表現を含み、
同形異音異義語の文字が前記入力データの対応する部分を表す確率のそれぞれを判定するために、前記対象記号系における前記同形異音異義語の文字の第１の読み方と第２の読み方とを区別する言語モデルを使用させ、前記言語モデルは、異なる読みを識別するための注釈が同形異音異義語の文字のみに付加されたコーパスでトレーニングされる、ことを特徴とするコンピュータ読み取り可能な記録媒体。
【発明の詳細な説明】
【技術分野】
【０００１】
本発明は、言語変換において複数の読み方の曖昧性を除去する方法に関する
【背景技術】
【０００２】
Ｎグラムモデル（N-gram model）等の統計的言語モデルは、確率分布を使用して確率Ｐｒ（Ｗ）を単語列Ｗに割り当てることにより、１つの言語を別の言語に変換又は翻訳するために一般に使用される。そのような言語モデルは、通常大きなテキスト本文（コーパスと呼ばれる）からトレーニングされ、一般にコーパス内の各単語及び／又は２つ以上の単語の各列の発生頻度を取り込む。従来、特定の各状況における用法及び／又は読み方に関係なく、言語モデルのトレーニングは、コーパス中の特定の単語の発生を考慮する。コーパスの殆どの単語は一般にそれぞれ１つの意味及び場合によっては２つ以上の正確な発音と関連付けられ、その一方で、特定の単語は同様に書かれるが異なる意味及び発音／読み方を有する（すなわち、同形異音異義語）。例えば、英語での同形異音異義語の一例は「desert」であり、これは、ある状況及び用法／発音では「見捨てる」ことを意味し、別の状況及び用法／発音は「乾燥した不毛な地域」を意味する。従って、コーパスにおいて単語「desert」の使用の文脈を意識せずにその単語の頻度を考慮すると、第１の意味（「見捨てる」）及び第２の意味（「乾燥した不毛な地域」）での単語の使用頻度の区別は、従来の言語モデルでは十中八九は見落とされることになる。
【発明の概要】
【発明が解決しようとする課題】
【０００３】
ピンイン（pinyin）は、ローマ字を使用して標準中国語を転記する標準的な方法である。ピンインの音訳（transliteration）において、漢字の発音／読み方は、ローマ字から成る音節にマッピングされる。ピンインは、変換システムを介して漢字をコンピュータに入力するのに一般に使用される。そのようなシステムは、変換精度を向上するために統計的言語モデルを組み込んでいることが多い。特定の漢字は、複数の発音／読み方を有する（すなわち、同形異音異義語の漢字）。しかし、同形異音異義語の種々の発音／読み方を区別しない従来の言語モデルは、同形異音異義語の漢字と関連付けられるピンインに対して望ましくない中国語変換候補を生成することがある。
【図面の簡単な説明】
【０００４】
以下の詳細な説明及び添付の図面において、本発明の種々の実施形態を開示する。
【図１】言語変換のためのシステムの一実施形態を示す図である。
【図２】入力データを対象記号表現の出力に変換するように構成されたデバイスの一実施形態を示す図である。
【図３】言語変換を実行する処理の一実施形態を示すフローチャートである。
【図４Ａ】コーパスにおいて見つけられるテキスト列の一例を示す図である。
【図４Ｂ】図４Ａのテキストが見つけられたコーパスからトレーニングされた言語モデルに格納されたいくつかのデータの一例を示す図である。
【図５】言語変換に使用される言語モデルをトレーニングするために使用される注釈付きコーパスを作成するシステムの一実施形態を示す図である。
【図６】注釈をつけ且つ言語モデルを使用する処理の一実施形態を示すフローチャートである。
【図７Ａ】同形異音異義語の文字に対する注釈を含まないコーパスに現れる文７０２と、同形異音異義語の文字に対する注釈を含むコーパスに現れる文７０４とを示す一例を示す図である。
【図７Ｂ】同形異音異義語の文字に対する注釈を含まないコーパスに現れる文７１０と、同形異音異義語の文字に対する注釈を含むコーパスに現れる文７１２とを示す一例を示す図である。
【図８Ａ】同形異音異義語の文字に対して注釈をつけられていない漢字コーパス（「注釈のないコーパス」）を使用する一例を示す図である。
【図８Ｂ】同形異音異義語の文字に対して注釈をつけられた漢字コーパス（「注釈付きコーパス」）を使用する一例を示す図である。
【図９】言語変換処理の一実施形態を示すフローチャートである。
【図１０】ピンインを漢字に変換する処理の一実施形態を示すフローチャートである。
【発明を実施するための形態】
【０００５】
本発明は、多くの方法で実現される。そのような方法としては、例えば処理、装置、システム、組成物、コンピュータ可読記憶媒体で具体化されたコンピュータプログラム、並びに／あるいはプロセッサ（たとえば、プロセッサに結合されたメモリに格納され且つ／又はメモリにより提供された命令を実行するように構成されたようなプロセッサ）が含まれる。本明細書において、これらの実現例又は本発明がとる他のあらゆる形態を技術と呼ぶ。一般に、開示される処理のステップの順序は、本発明の範囲内で変更されてもよい。特に指定のない限り、タスクを実行するように構成されているものとして説明されるメモリ又はプロセッサ等の構成要素は、所定の時間にタスクを実行するように一時的に構成される一般的な構成要素又はタスクを実行するように製造される特定の構成要素として実現される。本明細書で使用されるように、「プロセッサ」という用語は、コンピュータプログラム命令等のデータを処理するように構成された１つ以上のデバイス、回路及び／又はプロセシングコアを示す。
【０００６】
本発明の原理を示す添付の図面と共に本発明の１つ以上の実施形態の詳細な説明を以下に提供する。そのような実施形態と共に本発明を説明するが、本発明はいずれの実施形態にも限定されない。本発明の範囲は特許請求の範囲によってのみ限定され、本発明は多くの変更、変形及び等価物を含む。本発明を完全に理解できるように、多くの特定の詳細を以下の説明に示す。それら詳細は例示の目的で提供され、本発明はそれら特定の詳細の一部又は全てを含まずに特許請求の範囲に従って実施されてもよい。理解しやすいように、本発明に関連する技術分野において既知の技術論文については、本発明を不必要に曖昧にしないために詳細には説明していない。
【０００７】
特定の文字と関連付けられた種々の読み方を区別するために注釈をつけられるコーパスでトレーニングされる言語モデルを使用することが開示される。いくつかの実施形態において、２つ以上の読み方／発音／用法／意味と関連付けられるコーパスに現れる文字のインスタンスは、その文字のインスタンスに適切な読み方／発音／用法／意味の注釈をつけられる。いくつかの実施形態において、そのような注釈付きコーパスでトレーニングされた言語モデルは、ピンインを漢字に変換するために使用される。
【０００８】
図１は、言語変換のためのシステムの一実施形態を示す図である。この例において、システム１００は、デバイス１０２と、ネットワーク１０４と、変換サーバ１０６とを含む。ネットワーク１０４は、種々の高速データ及び／又は通信ネットワークを含む。
【０００９】
デバイス１０２は、入力データを受信するように構成される。いくつかの実施形態において、入力データは入力テキスト（例えば、ローマ字）を含む。例えば、入力データはピンインを含む。デバイス１０２はiPhone（登録商標）として示されるが、デバイス１０２の他の例は、デスクトップコンピュータ、ラップトップコンピュータ（例えば、MacBook（登録商標））、スマートフォン、移動デバイス、タブレットデバイス（例えば、iPad（登録商標）又はiPad2（登録商標））及びあらゆる他の種類のコンピューティングデバイスである。デバイス１０２は入力領域を含むように構成され、タイプ及び／又は手書きされた文字はデバイス１０２により取り込まれる／受信される。そのような入力領域の例は、タッチ画面キーボード（例えば、タブレット及び／又は移動電話デバイスの）、物理キーボード、トラックパッド（例えば、AppleのMagic Trackpad又はMacBook Proの内蔵トラックパッド）、電子書き込み面及びタッチパッドを含む。種々の実施形態において、ユーザは、デバイス１０２の入力領域と対話することにより（例えば、物理及び／又はタッチ画面キーボードにタイプすることにより）デバイス１０２において入力を選択する。いくつかの実施形態において、デバイス１０２は、変換サーバ１０６から受信された出力が表示される表示領域を含む。
【００１０】
いくつかの実施形態において、デバイス１０２は、変換サーバ１０６が対象記号表現の出力（例えば、文字の集合）に変換するために、受信された入力を変換サーバ１０６にネットワーク１０４を介して送出するように構成される。いくつかの実施形態において、デバイス１０２は、同様の変換を実行することと関連付けられた論理、コード及び／又は格納データを含むため、ネットワーク１０４を介してリモート変換サーバ１０６にデータを送信する必要なく対象記号表現の出力への入力データの変換を実行できる。
【００１１】
変換サーバ１０６は、データを受信し且つデータを別の形式（例えば、対象記号表現の文字）に変換するように構成される。例えば、対象記号表現は漢字である。いくつかの実施形態において、変換サーバ１０６は、言語モデル（例えば、漢字のコーパスからトレーニングされた言語モデル）及び／又は入力データのテキストと対象記号表現の文字の集合との間の関連付けを格納するために使用されるデータベース（例えば、入力データ対対象記号表現のディクショナリ）を含む。いくつかの実施形態において、変換サーバ１０６の出力は入力からの変換候補を含む。例えば出力に対する変換の候補は、言語モデル及び入力されたピンインから判定される統計的に最も可能性（すなわち、確率）の高い特定の数の漢字である。いくつかの実施形態において、変換サーバ１０６の出力は、デバイス１０２に返され且つ表示される（例えば、ユーザが閲覧し且つ／又は表示された情報に関して更なる選択を行うために）。
【００１２】
図２は、入力データを対象記号表現の出力に変換するように構成されたデバイスの一実施形態を示す図である。いくつかの実施形態において、システム１００のデバイス１０２は図２の例を使用して実現される。いくつかの実施形態において、図２に示すようなデバイスは、ネットワークを介してデータをリモートサーバに送信する必要なく変換を実行できるように変換サーバ１０６の１つ以上の機能性をローカルに含む。この例におけるデバイスの図示する構成要素（例えば、ディスプレイ２０２、変換エンジン２０６、ディクショナリ２０４、言語モデル２０８及び入力領域２１０）は、ハードウェア及びソフトウェアの一方又は双方を使用して実現される。いくつかの実施形態において、デバイスはこの例において示される構成要素より多くの構成要素又は少ない構成要素を有することができる。
【００１３】
入力領域２１０は、第１の記号表現の文字の集合を取り込む／受信するように構成される。上述したように、入力領域２１０の例は、タッチ画面キーボード（例えば、タブレット及び／又は移動電話デバイスの）、物理キーボード、トラックパッド（例えば、AppleのMagic Trackpad又はMacBook Proの内蔵トラックパッド）、音声認識／変換／翻音機能と関連付けられた受信機（例えば、マイク）、電子書き込み面及びタッチパッドを含む。いくつかの実施形態において、入力領域２１０は、ローマ字（例えば、a、b、c、…等）から１つ以上のテキスト文字を受信するように構成される。例えば入力領域２１０はピンインを受信でき、これはローマ字の標準中国語を翻字するシステムとなる。例えばユーザは、デバイスの入力領域２１０にピンインを入力し、ユーザがデバイスにおいて中国語で「タイプ」するために選択できる中国語変換候補をデバイスに提示させる。いくつかの実施形態において、入力領域２１０は、対応するテキスト符号化文字として入力文字を格納する。テキスト符号化方式の例は、ＡＳＣＩＩ、Ｂｉｇ５、ＵＴＦ−８、ＵＴＦ−１６、ＨＫＳＣＳ、ＧＢ１８０３０及びＪＩＳ  Ｘ  ０２１３を含む。
【００１４】
変換エンジン２０６は、入力領域２１０から受信した入力を使用し且つ対象記号表現の変換候補を判定するように構成される。いくつかの実施形態において、対象記号表現は漢字を含む。いくつかの実施形態において、変換エンジン２０６は、入力が変換される前に入力に対して前処理を実行するように構成される。例えば入力がピンインであった場合、一般に各漢字が単音節語として読まれる／発音されるため、変換エンジン２０６は、各単音節語を中国語変換候補にマッピングする準備をするためにピンインを単音節語に対応する１つ以上の文字群に分解する。変換エンジン２０６は、ディクショナリ２０４及び言語モデル２０８にアクセスするように構成される。ディクショナリ２０４は、入力データの文字の集合と対象記号表現の文字の集合との間のマッピング／関連付けを格納するために使用される１つ以上のデータベースを含む。言語モデル２０８は、対象記号表現のテキストのコーパスでトレーニングされるＮグラムモデルである。いくつかの実施形態において、言語モデル２０８をトレーニングするために使用されるコーパスは、対象記号表現の同形異音異義語の文字の種々の読み方を区別するために注釈がつけられたものである。例えば変換エンジン２０６は、まずディクショナリ２０４を使用して入力データの分解されたピンインを１つ以上の潜在的な漢字変換にマッピングし、それらの潜在的な漢字変換に対応する言語モデル２０８から統計情報を検索して最も可能性の高い候補変換の組み合わせを判定する。最も可能性の高い文字の組み合わせは、ディスプレイ２０２に表示される（例えば、ユーザが閲覧し且つ／又は対話するために）。ディスプレイ２０２の例は、ユーザから対話を取り込めるタッチ画面又はユーザ対話を取り込めない他の種類のディスプレイを含む。
【００１５】
例えば入力がピンイン「nihao」であった場合、変換エンジン２０６は、まず入力を「ni」及び「hao」の単音節から成る２つの文字群に分解する。漢字には多くの同音異義語（すなわち、同様に発音されるが異なる意味を有する単語）があるため、入力されたピンイン内の単音節から成る各群は、潜在的にディクショナリ２０４によりいくつかの可能な漢字にマッピングされる（そのような各文字は、単音節から成る対応するピンイン群の発音で読まれる）。変換エンジン２０６は、各漢字及び／又はそれらの組み合わせに関連付けられた統計情報を検索し、ユーザが意図したものである確率が最も高い文字の組み合わせを判定する。
【００１６】
図３は、言語変換を実行する処理の一実施形態を示すフローチャートである。いくつかの実施形態において、処理３００は、言語モデルを構築し且つ構築された言語モデルを使用して言語変換を実行するシステムにおいて実現される。
【００１７】
３０２において、テキストのコーパスが受信される。テキストのコーパスは、構造化された大きなテキスト集合（例えば、種々のソースから収集された）を含む。テキストのコーパスは、デジタル方式で格納及び処理される。一般にコーパスは、単一言語のテキストを含み且つ／又はコーパスでトレーニングされる言語モデルの入力に類似する形式である。例えばピンインから漢字への変換のための言語モデルをトレーニングするために、コーパスは漢字の形式のテキストを含む。
【００１８】
３０４において、コーパスが、言語モデルをトレーニングするために使用される。いくつかの実施形態において、言語モデリングツール（例えば、IRST Language Model Toolkit）は、コーパスから言語モデルをトレーニングして構築するために使用される。例えば言語モデリングツールは、コーパスで見つけられた文字毎及び／又は文字列毎にＮグラム確率を生成する。例えばコーパスで見つけられる各文字列（例えば、長さが２文字又は３文字又はそれ以上の）は、ある生起確率を割り当てられる。文字列は、列内の文字に対するコンテキストが、隣接する文字／周囲の文字により提供されるコンテキストにより後で認識される（例えば、言語変換段階中に）ように解析される。従って、コーパスに全く又は殆ど現れない（例えば、誤植のため又は意味がないため）文字列の場合、それら列に対して生成される確率はゼロか又は非常に低い（入力データの裏にあるユーザの所望の意図を表す尤度を示すため）ものとなる。結果として得られる言語モデルは、少なくともモデルがトレーニングされたコーパスにおいて見つけられる１つ以上の文字の列（例えば、又はそれら文字を表す基礎となる記号）に対する確率の割り当ての集合を含む。漢字のコーパスの例に戻ると、結果として得られる言語モデルは、コーパスで見つけられる１つ以上の漢字の列に割り当てられた確率を含む。
【００１９】
３０６において、言語モデルは言語変換を実行するために使用される。例えば言語モデルは、１つの形式の入力（例えば、音声又はテキスト）を第２の形式の１つ以上の出力（例えば、対象記号表現）に変換するために変換エンジン（例えば、変換エンジン２０６）又は変換サーバ（例えば、変換サーバ１０６）により使用される。いくつかの実施形態において、入力データは１つの正確な出力（例えば、入力を入力したユーザにより所望される）にマッピングされる。より正確な言語モデルは、所定の入力データに対して、ユーザにより所望された１つの出力を含む可能性がより高い入力データから変換される潜在的な出力を検索することができる。例えば入力データ（例えば、正確に綴られたピンイン）は、統計情報（例えば、確率）が言語モデルにより維持されている１つ以上の文字（例えば、漢字）にマッピングされる（例えば、ディクショナリを使用して）。検索された確率は、潜在的に入力にマッピングされる文字のうちのいずれが、正確なマッピングである可能性がより高いかを判定するために使用される。いくつかの実施形態において、言語モデルは、入力データから対象記号表現への文字レベル及び／又は単語レベル及び／又は文（例えば、文の開始及び文の終了）及び／又は句レベルの分解能で入力を出力にマッチングする他の統計ツールを含む。
【００２０】
図４Ａ及び図４Ｂは、言語モデルの作成及び使用の際のいくつかのステップを示す例である。
【００２１】
図４Ａは、コーパスで見つけられるテキスト列の一例を示す。この例において使用されるように、各文字（例えば、Ａ、Ｆ、Ｓ、…等）は、いずれかの言語での文字又は単語を表すために使用される。大文字のローマ字は単に例示のために選択されたものである。したがって、例えば図４Ａに示す各文字は、漢字コーパスに現れる漢字を表すものであってもよい。コーパスのテキストは、言語モデルのトレーニング中にＮグラム（例えば、長さがＮ文字の文字列）に分割される。部分列、すなわちＮグラム４０２（「ＡＦ」を含む）、４０４（「ＦＳＤ」を含む）及び４０６（「ＷＧＳＪ」を含む）は、言語モデルを構築するＮグラム確率生成及び／又はトレーニング段階において使用されるコーパスにおいて見つけられる列のいくつかの例である。Ｎグラム確率が特定の言語モデルに対して生成される列の文字長は、例えば言語モデリングツール及び／又は言語モデルの設計者により選択される。
【００２２】
図４Ｂは、図４Ａのテキストが見つけられたコーパスからトレーニングされた言語モデルに格納された、いくつかのデータの一例を示す。この例に示すように、コーパスで見つけられた種々の列（可変長の列）の確率は計算及び格納され（例えば、テーブルエントリに）、各文字列に対応する。例えば４０８は、コーパスの「ＡＦ」の列の発生に対して言語モデルにより割り当てられたＮグラム確率（０．０３２４）を示す例示的なテーブルのエントリを表す。いくつかの実施形態において、言語モデルは、図４Ｂに示した例示的なデータに加えて他の種類の情報を含む（例えば、入力データ対対象記号表現のディクショナリ、単語、いくつかの文字の単位、並びに名前及び場所のような種類の情報）。
【００２３】
いくつかの実施形態において、入力データ（例えば、第１の記号又は他の表現に関連付けられた文字の集合）は、出力データ（例えば、対象記号表現に関連する１つ以上の変換候補を形成する文字の集合）を生成するために言語モデルを使用して変換される。例えば言語モデルは、入力デバイスを介して入力されたピンインテキストを対応する漢字に変換するために使用される。入力されたピンイン文字列は、１つ以上の潜在的な漢字にマッピングされる音節を判定するために構文解析され（例えば、言語モデル又は他のある技術により）、そのような漢字の各確率は、入力されたピンインからの望ましいマッピングであるより確率の高い漢字変換を判定するために使用される。
【００２４】
一般的な文字のコーパスは、特定の注釈（例えば、音声タグ付けの一部）を含むが、文字の読み方／発音／用法／意味（本明細書では単に「読み方」と呼ぶこともある）又は文字が使用される状況に対する特定の読み方／発音／用法／意味（文字と関連付けられた可能な読み方／発音／用法／意味が２つ以上ある場合）の注釈を含まない。例えば、従来の漢字のコーパスは、一般に読み方／発音／用法／意味／ピンインの注釈を含まない。換言すると、従来の漢字コーパスは、同形異音異義語の漢字のそれぞれ異なるコンテキストに適した複数の読み方を区別しない。例えばコーパスの一部分におけるコンテキストは、第１の意味（読み方／発音／ピンイン）で同形異音異義語の文字を使用するが、その一方で、同一のコーパスの別の部分におけるコンテキストは、第１の意味とは異なる第２の意味（読み方／発音／ピンイン）で同形異音異義語の文字を使用する。しかし、コーパスにおいて同形異音異義語の文字の２つ（又はそれ以上）の意味を区別するための注釈がない場合、同形異音異義語の文字の特定の読み方がコーパスに現れる度にその同形異音異義語の文字の各読み方に対して別個の意味別の確率が判定されるのではなく、Ｎブラム確率生成は文字がコーパスに現れるといつでもその同形異音異義語の文字（複数の読み方を含む）に対してのみＮグラム確立生成が実行される。従来のコーパスにおいて、特定の文字の可能な複数の読み方を区別できないことの結果として、そのようなコーパスを使用してトレーニングされた言語モデルは、同形異音異義語の文字を含む出力にデータ入力を変換する際の精度がより低下する。以下、言語モデルにおける文字の種々の読み方の曖昧性を除去することについて説明する。
【００２５】
図５は、言語変換に使用される言語モデルをトレーニングするために使用される注釈付きコーパスを作成するシステムの一実施形態を示す図である。種々の実施形態において、コーパスの注釈により、コーパスにおける第１の読み方／発音／ピンイン／意味を示すための同形異音異義語の１つの用法と、コーパスにおける第２の読み方／発音／ピンイン／意味を示すための同一の同形異音異義語の別の用法とを区別することを促進する。ネットワーク５０８は、種々の高速データ及び／又は通信ネットワークを含み得る。いくつかの実施形態において、言語モデルトレーニングエンジン５１０、コーパス５１２及び言語モデル５１４は、変換サーバ（例えば、変換サーバ１０６）の一部として実現される。
【００２６】
いくつかの実施形態において、言語モデルトレーニングエンジン５１０は、例えば第三者によりホストされるサーバからネットワーク５０８を介してテキストソース５０２、５０４及び５０６を検索する。いくつかの実施形態において、言語モデルトレーニングエンジン５１０は、ネットワーク５０８を使用せずにテキストを受信する（例えば、ローカル記憶装置又はソースを介してテキストを取得することにより）。いくつかの実施形態において、言語モデルトレーニングエンジン５１０は、検索し且つ／又は受信したテキストをコーパス５１２に格納するように構成される。コーパス５１２は、テキストソース５０２、テキストソース５０４及びテキストソース５０６等の種々のソースから抽出されたテキストにより形成される。いくつかの実施形態において、コーパス５１２に収集されたテキストの大部分が１つの言語のテキストである。例えばコーパス５１２のテキストの大部分が漢字である。テキストソース５０２、５０４及び５０６の例は、新聞、ウェブサイト、本、定期刊行物、ソーシャルメディア（例えば、Facebook（登録商標）、Twitter（登録商標））及び雑誌を含む。例えばテキストソース５０２、５０４及び５０６から収集されたテキストは、合計で約８億個の漢字である。また、例えば漢字のコーパスは８０００個の異なる文字を含み、そのうち約５０個が同形異音異義語の文字である。いくつかの実施形態において、コーパス５１２の注釈がない場合、テキストソースから抽出される別個の各文字は、コーパス５１２の１つの別個の記号により表され、テキストソースから複数回抽出される同一の文字は、その文字に対応する記号の複数のインスタンスとして格納される。
【００２７】
いくつかの実施形態において、言語モデルトレーニングエンジン５１０は、コーパス５１２の文字に対する手動入力の注釈を受信するように構成される。いくつかの実施形態において、言語モデル５１４のシステム管理者及び／又は設計者（例えば、ユーザ）は、同形異音異義語の文字を見つけるためにコーパス５１２のテキストを走査し、同形異音異義語の文字が使用される状況のユーザの理解に基づいて（例えば、その文字が使用された文及び／又は周囲のテキストに基づいて）、適切な読み方／発音／ピンイン／意味を示すために同形異音異義語の文字のインスタンスに注釈をつける。例えばそのような注釈をつけるために、コーパス５１２において、（２つ以上の可能な読み方のうちの）特定の読み方の同形異音異義語の文字のインスタンスはコーパス５１２に存在する他の全ての文字を表す記号と区別可能であり、且つ同一の同形異音異義語の文字の別の読み方と関連付けられる別の記号とも区別可能である新しい記号（例えば、テキスト符号化）により置換される。換言すると、コーパス５１２における１つの読み方を有する同形異音異義語の文字はコーパス５１２において第１の記号と関連付けられ、第２の読み方を有する同一の同形異音異義語の文字はコーパス５１２において第２の記号と関連付けられる。従って、同形異音異義語の文字が第１の読み方と関連付けられた状況において使用される場合、その文字のインスタンスは、コーパス５１２において第１の記号として格納され、同形異音異義語の文字が第２の読み方と関連付けられた状況において使用される場合、その文字のインスタンスは第２の記号として格納される。注釈をつけた結果、同形異音異義語の文字は同一の記号の種々のインスタンスとしてコーパス５１２に現れなくなり、同形異音異義語の文字の異なる読み方の各々がコーパスにおいて別個の記号により置換される。従って、例えば３つの可能な読み方と関連付けられる同形異音異義語の文字は、注釈付きコーパスにおいて３つの異なる記号の種々のインスタンスとしてコーパス５１２に現れる。いくつかの実施形態において、２つ以上の記号がコーパスにおいて同形異音異義語の文字を表すが、それら記号の各々は同一の同形異音異義語の文字と依然として関連付けられる。
【００２８】
例えば英語の単語に対するそのような注釈付きコーパスにおいて、「desert」は２つの可能な読み方を有する同形異音異義語の単語／文字である。すなわち、一方は１つの意味と関連付けられる「見捨てる」を意味する動詞であり、他方は異なる意味と関連付けられる「乾燥した不毛な地域」を意味する名詞である。コーパスに注釈をつける前は、コーパスのテキストにおける「desert」の出現は、「desert」に対する記号と関連付けられる。しかし、注釈をつけた後は、コーパスにおける「desert」の出現は、「desert」の２つの意味のうち「desert」のインスタンスがテキストに現れるコンテキストに適切な意味に依存して動詞又は名詞に対する記号と関連付けられる。
【００２９】
いくつかの実施形態において、単語の可能な読み方の１つ又は記号又は記号列は、全ての発生に対する記号を符号化するのに使用された元の記号により表され、１つ以上の他の可能な読み方と関連付けられたインスタンスのみが注釈をつけられる。上述の例において、例えばdesert_v（「見捨てる」を意味する動詞）と関連付けられた方法で使用される「desert」は注釈をつけられないが、desert_n（「乾燥した不毛な地域」を意味する名詞）の意味で使用される「desert」のインスタンスの場合、「desert」を符号化するのに使用された記号はdesert_n（「乾燥した不毛な地域」を意味する）に対応する新しく定義された記号で置換される。その後、言語モデルのトレーニングにおいて、注釈をつけられていない「desert」の発生はdesert_v（「見捨てる」を意味する）と関連付けられると理解され、その一方で、desert_n（「乾燥した不毛な地域」を意味する）の発生は第２の読み方を示すと理解される。
【００３０】
いくつかの実施形態において、ユーザはコーパス５１２のテキストの部分集合に手動入力で注釈をつけ、コーパス５１２の残りの部分は、例えば手動入力の注釈により作成された注釈付けのパターンに基づいて同様に自動的に注釈をつけられる（例えば、ソフトウェア及び／又はハードウェアの形態の機械学習技術を使用して）。例えば自動処理は、手動入力の注釈から学習されたパターンを使用して、同形異音異義語の文字に対する第１のコンテキスト及びそのコンテキストにおけるその文字の対応する適切な読み方を識別し、その文字の特定の読み方と関連付けられるコーパスにおける文字のインスタンスに注釈をつける（例えば、その文字の別の読み方を表す記号と異なり、且つ、コーパス５１２の別の文字を表す記号と異なる記号になるように、コーパスの同形異音異義語の文字と関連付けられた記号を置換することにより）。
【００３１】
注釈をつけられた後のコーパス５１２を考慮する１つの方法は、記号の集合が拡張されることである。開示された注釈付けの前に、同形異音異義語の文字は機械により理解できるように文字を表すために使用されるユニコードコードポイント又は他の値等の１つの機械可読値にマッピングされる。また、その一方で、開示された注釈付けの後は、同形異音異義語の文字は注釈付きコーパス５１２で使用される２つ以上の機械可読値にマッピングされる。ここで、同形異音異義語の文字と関連付けられた各機械可読値は、同形異音異義語の文字の特定の読み方を表す。
【００３２】
いくつかの実施形態において、言語モデル５１４は、例えば言語モデリングツール（例えば、IRST Language Model Toolkit）を使用して注釈付きコーパス５１２でトレーニングされる。例えば言語モデリングツールは、同形異音異義語の文字の複数の読み方に対して追加された新しい記号を含む注釈付きコーパス５１２の文字（又はそれらの記号）及び文字列に対してＮグラム確率を生成する。
【００３３】
いくつかの実施形態において、図２の変換エンジン２０６等の変換エンジンは、言語モデル５１４等の読み方の注釈付きコーパスでトレーニングされた言語モデルを使用して対象記号表現の１つ以上の変換候補を生成するために入力データを受信するように構成される。例えば、入力データはピンインと関連付けられ、言語モデル５１４は漢字と関連付けられると仮定する。言語モデル５１４において文字／記号及びそれらの列に対して生成された確率を使用して、変換エンジン２０６は、所定のピンイン入力と一致し且つ特に同形異音異義語の文字の特定の読み方に固有の確率を提供するモデルを使用して特定の同形異音異義語の文字が意図された尤度を過大評価することを回避する可能性が相対的に高い１つ以上の漢字を出力として生成する。
【００３４】
図６は、注釈をつけ且つ言語モデルを使用する処理の一実施形態を示すフローチャートである。いくつかの実施形態において、処理６００は、システム５００を使用して少なくとも部分的に実現される。
【００３５】
６０２において、コーパスと関連付けられたテキストの部分集合に対する１つ以上の手動入力の注釈が受信され、手動入力の注釈は、２つ以上の読み方と関連付けられた文字のインスタンスに対して、そのインスタンスと関連付けられた状況に少なくとも部分的に基づいて文字の適切な読み方を示す。
【００３６】
例えばユーザは、同形異音異義語の文字／単語のインスタンスの場所を特定するためにコーパスのテキストの部分集合を読む。ユーザは、同形異音異義語の文字／単語のインスタンスを見つけると、文字のインスタンスが現れる状況（例えば、文字が現れる文、その文字の周囲の文字）及びその状況における文字の用法のユーザの知識に基づいてその文字のインスタンスに対する適切な読み方を判定し且つ注釈をつける。コーパスの文字のインスタンスに適切な同形異音異義語の文字の読み方が２つ以上あることは殆どない。従って、コーパスの同形異音異義語の文字の各インスタンスに対して判定される読み方は１つだけでよい。同形異音異義語の文字のインスタンスに対するこの判定された適切な読み方は、注釈として変換エンジンに入力され、コーパスに格納される。いくつかの実施形態において、特定の読み方を示すために同形異音異義語のインスタンスと関連付けられた注釈は、文字の元のインスタンスを表していたコーパスの記号（例えば、テキスト符号化）を置換する新しい記号（例えば、コーパスのあらゆる他の文字を表すのに使用される記号と異なり且つ先に割り当てられていないユニコード値、又は私用領域文字等の同一の同形異音異義語の別の読み方を表すのに使用される記号とも異なる記号）としてコーパスに格納される。いくつかの実施形態において、特定の読み方を示すために同形異音異義語のインスタンスと関連付けられた注釈は、コーパスの文字のインスタンスを表す記号に追加されるタグである。いくつかの実施形態において、コーパスは種々のソースから取得されたテキスト（殆どが１つの言語のテキスト）を含む。
【００３７】
コーパス全体（数億個のテキストを含む可能性がある）に手動入力で注釈をつけるのは非効率的であるため、手動入力の注釈付けはコーパスの小さな部分集合に対して行われ、コーパスの残りの部分は、以下に説明するように自動化処理を使用して注釈をつけられる。
【００３８】
６０４において、手動入力で注釈をつけられていないコーパスと関連付けられたテキストの少なくとも一部分は、受信された１つ以上の手動入力の注釈に少なくとも部分的に基づいて自動的に注釈をつけられる。
【００３９】
いくつかの実施形態において、自動化処理は、手動入力で注釈をつけられていないコーパスの残りの部分に対して同形異音異義語の文字のインスタンスの種々の読み方に注釈を追加するために使用される。例えば自動化処理は、機械学習技術及び６０２で入力された手動入力の注釈を使用するソフトウェアにより行われる。
【００４０】
６０６において、言語モデルは注釈付きコーパスを使用してトレーニングされる。
【００４１】
いくつかの実施形態において、注釈付きコーパスは、注釈をつけられる前にコーパスで発生した同形異音異義語の文字の各インスタンスの種々の読み方を表すための別個の記号を含む。いくつかの実施形態において、言語モデルは、注釈付きコーパスにおいて見つけられた文字／記号及びそれらの列に対してＮグラム確率生成を実行することにより作成され且つ注釈付きコーパスでトレーニングされる。いくつかの実施形態において、言語モデルは、コーパス内で見つけられる文の開始及び終了でトレーニングされる。結果として得られる言語モデルは、同形異音異義語の文字の各読み方と関連付けられた確率を含む。
【００４２】
例えば注釈付きコーパスにおいて、テキスト中の同形異音異義語の「単語」の発生は、「word_reading1」又は「word_reading2」の記号で表されると仮定する。従って、注釈付きコーパスでトレーニングされる言語モデルは、「word_reading1」又は「word_reading2」の文字／記号を含む確率を含む（例えば、Ｐｒ（word_reading1）は「word_reading1」のユニグラムと関連付けられた確率を表すために使用され、Ｐｒ（word_reading2）は「word_reading2」のユニグラムと関連付けられた確率を表すために使用され、Ｐｒ（wordN，wordN-1，…，word_reading1）及びＰｒ（wordN，wordN-1，…，word_reading2）等のＮグラムと関連付けられた確率も生成される）。
【００４３】
例えば２つの読み方を有する同形異音異義語の単語「desert」の場合、各読み方に対して別個の確率が判定される。例えばユニグラム、バイグラム、…、Ｎグラムと関連付けられる確率は、「desert_v」に対して判定され（例えば、Ｐｒ（desert_v）、Ｐｒ（he，would，desert_v）、Ｐｒ（soldier，said，he，would，desert_v））、ユニグラム、バイグラム、…、Ｎグラムと関連付けられる確率は、「desert_n」に対して判定される（例えば、Ｐｒ（desert_n）、Ｐｒ（crossed，through，a，desert_n）、Ｐｒ（camel，crossed，through，a，desert_n））。列（長さが１文字より長い）の確率を利用することにより、文字は、その文字が現れる適切なコンテキストを判定するためにそのような確率を使用して曖昧性が除去される。
【００４４】
図７Ａ及び図７Ｂは、同形異音異義語の漢字の種々の読み方を区別するために注釈をつけられる中国語コーパスのテキストの例である。漢字のコーパスがこれらの例において示されるが、コーパスは異なる言語（例えば、日本語）の文字を含むことができる。
【００４５】
図７Ａは、同形異音異義語の文字に対する注釈を含まないコーパスに現れる文７０２と、同形異音異義語の文字に対する注釈を含むコーパスに現れる文７０４とを示す一例である。文７０２において、同形異音異義語の文字７０６（「長（以下、文字７０６を「長」で代用する）」）は、「zhang」及び「chang」の少なくとも２つの異なる読み方／発音／ピンイン／意味と関連付けられる同形異音異義語の文字である。例えば「zhang」と読まれる場合の文字７０６「長」の意味は「a chief or leader（チーフ又はリーダ）」である。例えば「chang」と読まれる場合の文字７０６「長」の意味は「long（長い）」である。文７０２（同形異音異義語の文字に対する注釈を含まないコーパスの）の英語翻訳は、「he is one of the candidates running for mayor（彼は市長選に出馬している候補者の一人である）」である。従って、文７０２において、文字７０６（「長」）は、「zhang」の読み方／ピンインと関連付けられる意味で使用される。同形異音異義語の文字の注釈を含まないコーパスにおいて、文７０２における文字７０６（「長」）の出現は、コーパスの１つの記号にマッピングされる（例えば、文字７０６「長」のある形式のテキスト符号化を使用して）。しかし、注釈をつけた後、文７０２は文７０４になり、同形異音異義語の文字に対する注釈を含むコーパスに現れる。文７０４において、文字７０６（「長」）は、読み方７０８（「長_zhang」）を表すコーパスにおける記号で置換されている（例えば、読み方７０８「長_zhang」に対して新たに作成されるある形式のテキスト符号化又はコーパスに現れるあらゆる他の文字に対して先に使用されていないテキスト符号化を使用して）。
【００４６】
図７Ｂは、同形異音異義語の文字に対する注釈を含まないコーパスに現れる文７１０と、同形異音異義語の文字に対する注釈を含むコーパスに現れる文７１２とを示す一例である。同形異音異義語の文字に対する注釈を含まないコーパスにおける文７１０の英語翻訳は、「I have been here for a long time already（私は既に長い時間ここにいる）」である。従って、文７１０において、文字７０６（「長」）は、「chang」の読み方／ピンインと関連付けられる意味で使用される。同形異音異義語の文字に対する注釈を含まないコーパスにおいて、文７１０の同形異音異義語の文字７０６（「長」）の出現は、コーパスの１つの記号にマッピングされる（例えば、文字７０６「長」のある形式のテキスト符号化を使用して）。しかし、注釈をつけた後、文７１０は文７１２になり、同形異音異義語の文字に対する注釈を含むコーパスに現れる。文７１２において、文字７０６（「長」）は読み方７１６（「長_chang」）を表すコーパスにおける記号で置換されている（例えば、読み方７１６「長_chang」に対して新たに作成されるある形式のテキスト符号化又はコーパスに現れるあらゆる他の文字に対して先に使用されていないテキスト符号化を使用して）。
【００４７】
図８Ａ及び図８Ｂは、ピンイン入力をある形式の漢字出力に変換する際に同形異音異義語の文字に対して注釈をつけられていないコーパス及び同形異音異義語の文字に対して注釈をつけられているコーパスを使用する例を示す。漢字のコーパスがこれらの例において示されるが、コーパスは異なる言語（例えば、日本語）の文字を含むことができる。図７Ａ及び図７Ｂの例において、ピンイン入力はデバイス（例えば、デバイス１０２）の入力領域において受信される。
【００４８】
この例において、同形異音異義語の文字「長」は、「chang」及び「zhang」の２つの潜在的な読み方／ピンインと関連付けられる。
【００４９】
図８Ａは、同形異音異義語の文字に対して注釈をつけられていない漢字コーパス（「注釈のないコーパス）を使用する一例を示す。この例において、ピンイン「chang」又は「zhang」が入力されるかに関係なく、注釈のないコーパスでトレーニングされた言語モデルは、例えばユニグラム「長」の確率（Ｐｒ（長））等の「長」と関連付けられる確率を検索する（例えば、ピンインが「長」の潜在的な中国語変換候補にマッピングされた後）。とはいえ、「長」を含む文字列（例えば、Ｎ＞１のＮグラム）と関連付けられる確率（例えば、Ｐｒ（市，長）も検索され得る。その結果、言語モデルは、「zhang」（「a chief（チーフ）」を意味する）の読み方／意味及び「chang」（「long（長い）」を意味する）の読み方／意味で「長」を使用する句及び／又は文を区別するために統計情報を提供する際の精度は低くなる。
【００５０】
例えば「zhang」の読み方／意味の「長」は、コーパスにおいて「zhang」のピンインと関連付けられる他の漢字（例えば、章、掌）より非常に少ない頻度で使用されると仮定する。しかし、コーパスでトレーニングされた結果として得られる言語モデルは、コーパス内で使用された意味の数に関係なく同一の確率を「長」（例えば、「長」を含むＮグラムに対応する）に与える。「長」に割り当てられた確率がコーパスにおいて「chang」の読み方／意味で「長」を少なくとも数回使用することを含むため、言語モデルにおける「長」の確率は、「zhang」のピンインにマッピングされる他の中国語変換候補と関連付けられた確率と比較して不適切に高く、言語変換における全体の精度は低くなる。
【００５１】
図８Ｂは、同形異音異義語の文字に対して注釈をつけられた漢字コーパス（「注釈付きコーパス」）を使用する一例を示す。この例において、「chang」のピンイン入力（例えば、ピンインが「長」の潜在的な中国語変換候補にマッピングされた後）に対して、言語モデルは、例えば「長_chang」のユニグラムの確率（Ｐｒ（長_chang））等の文字のその読み方と関連付けられた確率を検索する。しかし、「長_chang」を含む文字列（例えば、Ｎ＞１のＮグラム）と関連付けられる確率（例えば、Ｐｒ（市，長_chang））も検索される。同様に、「zhang」のピンイン入力に対して、言語モデルは、例えば「長_zhang」のユニグラムの確率（例えば、Ｐｒ（長_zhang））等の文字のその読み方と関連付けられた確率を検索する。言語モデルがトレーニングされるコーパスに注釈をつけた結果、確率は同一の同形異音異義語の異なる各読み方に与えられ、それにより、より正確な変換が可能になる。
【００５２】
「zhang」の読み方／意味の「長」がコーパスにおいて「zhang」のピンインと関連付けられる他の漢字（例えば、章、掌）より非常に少ない頻度で使用されると仮定された先の例に戻ると、注釈付きコーパスで言語モデルをトレーニングした後、「長」の種々の読み方（「chang」及び「zhang」）に与えられた別個の確率が存在する。ここで、「長_zhang」に割り当てられた確率は、コーパス内で「chang」の意味で「長」を使用することを全く含まず、同様に、「長_chang」に割り当てられた確率は、コーパス内で「zhang」の意味で「長」を使用することを全く含まない。従って、言語モデルの「長」の確率は、「zhang」又は「chang」のピンインにマッピングされる他の中国語変換候補と関連付けられた確率と比較してより精度が高く、言語変換における全体の精度が高くなる。
【００５３】
図９は、言語変換処理の一実施形態を示すフローチャートである。いくつかの実施形態において、処理９００は、システム１００において少なくとも部分的に実現される。いくつかの実施形態において、処理９００は、デバイス１０２において少なくとも部分的に実現される。
【００５４】
９０２において、対象記号系での入力データの記号表現を含む文字の集合に変換される入力データが受信される。いくつかの実施形態において、入力データは、変換が行われるデバイス（例えば、デバイス１０２）において受信される。いくつかの実施形態において、入力データは、変換を実行するリモートサーバ（例えば、変換サーバ１０６）に送出される。いくつかの実施形態において、入力データは入力テキスト（例えば、ローマ字の）を含む。例えば、入力データはピンインの集合である。
【００５５】
９０４において、入力データを変換して得られる対象記号表現の１つ以上の変換候補が生成される。いくつかの実施形態において、対象記号表現は漢字を含む。いくつかの実施形態において、入力データ又はその部分集合は、対象記号表現の１つ以上の可能な文字（例えば、変換候補）にマッピングされる。例えば入力データが音読み（phonetic readings）と関連付けられると仮定すると、対象記号表現の複数の文字は入力データの文字群と関連付けられた１つの読み方にマッピングされる。いくつかの実施形態において、対象記号表現の文字（又はその集合）に対する入力データの形式の文字（又はその集合）のディクショナリは、受信した入力データに基づいて変換候補を判定するために使用される。いくつかの実施形態において、例えば入力データ又はその一部分は同形異音異義語の文字と関連付けられた読み方の１つを形成するため、入力データは対象記号表現のその同形異音異義語の文字である変換候補にマッピングされる。
【００５６】
９０６において、対象記号系の文字の第１の読み方と第２の読み方とを区別する言語モデルは、同形異音異義語の文字が入力データの対応する一部分を表すために使用されるべきである確率を判定するために使用される。種々の実施形態において、使用される言語モデルは、同形異音異義語の文字に対して注釈をつけられるコーパスでトレーニングされる（例えば、処理６００の少なくとも一部を使用して）。その結果、言語モデルは、注釈付きコーパスにおいて見つけられた同形異音異義語の文字の種々の読み方を区別するためにトレーニングされたものとなる。いくつかの実施形態において、言語モデルは、同形異音異義語の文字の各読み方を１つ以上の確率の集合（例えば、その読み方を含むユニグラム、バイグラム及びトライグラム等と関連付けられた）と関連付ける。例えば変換候補を評価する時、それらの関連付けられた確率（例えば、ユニグラム、バイグラム、トライグラム…等の）は最も高い相対確率を有する変換候補を判定する（例えば、所定の状況に対して／隣接する文字又は周囲の文字に基づいて）ために言語により使用される。相対的に高い確率を有する変換候補は、所望の変換出力である可能性がより高い。例えば変換候補の１つが同形異音異義語の文字であった（例えば、入力データの少なくとも一部分がその文字と関連付けられた読み方の１つを形成するため）場合、その変換候補を評価する時、同形異音異義語の文字の特定の読み方と関連付けられた確率（例えば、その特定の読み方を含むユニグラム、バイグラム及びトライグラム等の）は検索され、他の変換候補と関連付けられた確率と比較するために使用される。
【００５７】
図１０は、ピンインを漢字に変換する処理の一実施形態を示すフローチャートである。いくつかの実施形態において、処理１０００はシステム１００を使用して実現される。いくつかの実施形態において、処理９００の少なくとも一部（例えば、９０４及び９０６）は処理１０００を使用して実現される。
【００５８】
１００２において、ピンインと関連付けられた文字の入力集合は、１つ以上の文字群に分解され、各文字群は１つの漢字に変換される。いくつかの実施形態において、ピンインと関連付けられた文字の集合は、デバイス（例えば、デバイス１０２）の入力領域において受信される。いくつかの実施形態において、入力ピンインは、１つ以上の漢字に変換される。いくつかの実施形態において、入力ピンイン（例えば、少なくともいくつかの英字の間に１つ以上のスペースを有するか又は有さないローマ字の文字列）は正確に綴られる。通常、各漢字は、単音節語であるため、単音節語として読まれるピンイン入力の隣接する英字群にマッピングされる。従って、入力ピンインが中国語変換候補にマッピングされる前に、いくつかの実施形態において、入力ピンインは単音節語として読まれる英字群に分解される必要がある。
【００５９】
例えば、入力ピンインが「shizhang」であると仮定する。入力は２つの音節（「shi」及び「zhang」）を含むため、単音節から成る２つの英字群「shi」及び「zhang」に分解される。
【００６０】
１００４において、１つ以上のピンイン群の各々に対応する１つ以上の中国語変換候補が判定される。中国語において、同様に読まれる／発音されるが意味が異なる文字である同音異義語の漢字がいくつか存在する。同音異義語の文字は、同一のピンインと関連付けられる。ピンインを漢字に変換する処理において、いくつかの同音異義語の文字（例えば、同一の音調又は異なる音調を有する）は単音節から成るピンイン群毎に識別される。しかし、１つの文字のみがピンイン群に対する所望の変換である。この所望の文字は、最も高い確率と関連付けられる１つ以上の変換候補を判定するために各中国語変換候補と関連付けられた１つ以上の確率を関連付ける言語モデルを使用することにより取得される。
【００６１】
先の例を継続すると、例えば「shi」に対する中国語変換候補は「是」、「市」及び「十」を含む。「zhang」に対する中国語変換候補は、例えば「章」、「掌」及び「長」を含む。
【００６２】
１００６において、ピンインの１つの文字群が同形異音異義語の漢字の１つの読み方と関連付けられるかが判定される。ピンイン群が同形異音異義語の文字と関連付けられた第１の読み方と関連付けられると判定される場合、その第１の読み方と関連付けられた情報が検索される。いくつかの実施形態において、単音節から成る分解された１つ以上のピンイン群は同形異音異義語の文字の１つの読み方と関連付けられると判定される。そのような群が判定される場合、同形異音異義語の文字の読み方と関連付けられた確率は検索され、対応する中国語変換候補を評価するために使用される（例えば、同形異音異義語の漢字の種々の読み方を区別するために注釈をつけられたコーパスでトレーニングされた言語モデルにより）。
【００６３】
先の例を継続すると、「zhang」のピンインが同形異音異義語の文字「長」の１つの読み方と関連付けられると判定されるため、「shi」及び「zhang」に対する中国語変換候補を評価する際、「長_zhang」と関連付けられた確率が検索される（例えば、Ｐｒ（長_zhang））。更に入力「shizhang」が１つの句（２つの漢字を含む）を形成するために使用されると仮定すると、「shi」及び「zhang」の中国語変換候補の種々の組み合わせと関連付けられた確率（例えば、Ｐｒ（是，章）、Ｐｒ（是，掌）、Ｐｒ（是，長_zang）、Ｐｒ（市，章）、Ｐｒ（市、掌）、Ｐｒ（市，長_zhang）、Ｐｒ（十，章）、Ｐｒ（十，掌）、Ｐｒ（十，長_zhang）、Ｐｒ（十，章）、Ｐｒ（十，掌）、Ｐｒ（十，長_zhang））は、最も高い確率を有する組み合わせを判定するために評価される。コーパスが適切に注釈をつけられ、言語モデルが適切にトレーニングされたと仮定すると、中国語変換候補の可能な組み合わせと関連付けられた確率のうち、Ｐｒ（市，長_zhang）の値が最大である（例えば、残りの漢字の組み合わせが無意味であり且つ／又は注釈をつけられたコーパスに頻繁に現れないため）。従って、この例において、「市長」（英語で「mayor」を意味する）は「shizhang」の入力に対する出力中国語変換である。コーパスが同形異音異義語の漢字の種々の読み方を区別するために注釈をつけられていない場合、例えば全ての読み方（「chang」及び「zhang」）で使用される「長」が注釈をつけられていないコーパスにおいて「市」以外の漢字の隣に現れるのがより一般的であるため、Ｐｒ（市，長）の値（注釈をつけられていないコーパスから判定されるような）は、Ｐｒ（市，長_zhang）の値程大きくない可能性がある（従って、「市長」は出力中国語変換として選択されない可能性がある）。
【００６４】
上述した実施形態は理解しやすくするために詳細に説明したが、本発明は提供した詳細に限定されない。本発明を実現する別の方法が多く存在する。開示された実施形態は例示であり、限定するものではない。
【図１】
0005997217.tif 000002
【図２】
0005997217.tif 000003
【図３】
0005997217.tif 000004
【図４Ａ】
0005997217.tif 000005
【図４Ｂ】
0005997217.tif 000006
【図５】
0005997217.tif 000007
【図６】
0005997217.tif 000008
【図７Ａ】
0005997217.tif 000009
【図７Ｂ】
0005997217.tif 000010
【図８Ａ】
0005997217.tif 000011
【図８Ｂ】
0005997217.tif 000012
【図９】
0005997217.tif 000013
【図１０】
0005997217.tif 000014